(57)【要約】【課題】容易に被測定者の頚椎の筋力を測定することが出来る頚椎筋力測定器を提供する。【解決手段】頚椎筋力測定器（１）において、フレーム（２）に、人の頭の間隔を空けて検出器（７）を二個設け、一回のポジショニングで頚椎の前後部の筋力又は頚椎の左右部の筋力を測定でき、前記二個の検出器（７）は取付部（６）に取り付けられ、取付部（６）はフレーム（２）に水平面で回動可能設けられ、該取付部（６）を９０度回動させれば、頚椎の前後部の筋から左右部の筋へ変更して筋力測定が行なえ、人が腰掛ける椅子（３）及び身体を椅子（３）に固定する体幹固定具（８）が付加設置され、体幹固定具（８）で上体は椅子３に固定され、頭部及び頚部は動かせる頚椎筋力測定器である。  【選択図】      図１            
2005211420.tif 000002
【特許請求の範囲】
【請求項１】
頚椎筋力測定器（１）において、フレーム（２）に、被測定者が頭を接触させる検出器（７）を設け、被測定者の頭を検出器（７）に固定するベルト（２４）を付属し、該ベルト（２４）で被測定者の頭を検出器（７）に固定する一回のポジショニングで、頚椎の前後部の筋力又は頚椎の左右部の筋力を測定できることを特徴とする頚椎筋力測定器。
【請求項２】
頚椎筋力測定器（１）において、フレーム（２）に、被測定者の頭程の間隔を空けて検出器（７）を二個設け、一回のポジショニングで頚椎の前後部の筋力又は頚椎の左右部の筋力を測定できることを特徴とする頚椎筋力測定器。
【請求項３】
フレーム（２）に取付部（６）が水平面で回動可能に設けられ、前記取付部（６）に検出器（７）が取り付けられ、該取付部（６）を９０度回動させれば、頚椎の前後部の筋から左右部の筋へ変更して、或いは、左右部の筋から前後部の筋へ変更して、筋力測定が行なえることを特徴とする請求項１又は２記載の頚椎筋力測定器。
【請求項４】
椅子（３）及び体幹固定具（８）が付加設置され、前記体幹固定具（８）で椅子（３）に腰掛けた被測定者の上体を椅子（３）に固定し、頭部及び頚部は動かせるようにして筋力測定を行なうことを特徴とする請求項１乃至３のいずれか１項に記載の頚椎筋力測定器。
【請求項５】
頚椎筋力測定器（１）において、フレーム（２）に、回動検出器（２５）が設けられ、該回動検出器（２５）に被測定者の頭の垂線中心の回動を捕らえる回動アタッチメント（２６）が垂下取着され、該回動アタッチメント（２６）を人の頭に装着する一回のポジショニングで、頚椎の旋回に係る筋力を測定できることを特徴とする頚椎筋力測定器。
【発明の詳細な説明】
【技術分野】
【０００１】
本発明は、人（以下、被測定者という）の頚椎の筋力を測定する頚椎筋力測定器に関するものである。
【背景技術】
【０００２】
従来、椅子に座った被測定者が、上肢又は下肢を、椅子から延出したアームに取着された検出器にあてがい、上肢又は下肢の筋力を測定する椅子型筋力測定訓練器があった。
【０００３】
前記従来のものでは、上下肢の測定は容易に行なえるが、頚椎の筋力を測定するには不容易な機器であった。それ故に、容易に頚椎の筋力を測定する装置が望まれていた。
【特許文献１】実公平２−４２３０５号公報
【発明の開示】
【発明が解決しようとする課題】
【０００４】
解決しようとする問題点は、検出器の設定に手数が掛かり、頚椎の筋力測定を容易に行なうことが出来ないという点である。
【課題を解決するための手段】
【０００５】
本発明の目的は、容易に被測定者の頚椎の筋力を測定することが出来る頚椎筋力測定器を提供することにある。
即ち本発明は、頚椎筋力測定器（１）において、フレーム（２）に、被測定者が頭を接触させる検出器（７）を設け、被測定者の頭を検出器（７）に固定するベルト（２４）を付属し、該ベルト（２４）で被測定者の頭を検出器（７）に固定する一回のポジショニングで、頚椎の前後部の筋力又は頚椎の左右部の筋力を測定できることを特徴とする頚椎筋力測定器である。
或いは、フレーム（２）に、被測定者の頭程の間隔を空けて検出器（７）を二個設け、一回のポジショニングで頚椎の前後部の筋力又は頚椎の左右部の筋力を測定できる。
又、フレーム（２）に取付部（６）が水平面で回動可能に設けられ、前記取付部（６）に検出器（７）が取り付けられ、該取付部（６）を９０度回動させれば、頚椎の前後部の筋から左右部の筋へ変更して、或いは、左右部の筋から前後部の筋へ変更して、筋力測定が行なえる。
更に、椅子（３）及び体幹固定具（８）が付加設置され、前記体幹固定具（８）で椅子（３）に腰掛けた被測定者の上体を椅子（３）に固定し、頭部及び頚部は動かせるようにして筋力測定を行なう。
或いは又、フレーム（２）に、回動検出器（２５）が設けられ、該回動検出器（２５）に被測定者の頭の垂線中心の回動を捕らえる回動アタッチメント（２６）が垂下取着され、該回動アタッチメント（２６）を被測定者の頭に装着する一回のポジショニングで、頚椎の旋回に係る筋力を測定できる。
【発明の効果】
【０００６】
本発明は、頚椎筋力測定器１において、フレーム２に、被測定者が頭を接触させる検出器７を設け、被測定者の頭を検出器７に固定するベルト２４を付属し、該ベルト２４で被測定者の頭を検出器７に固定する一回のポジショニングで、頚椎の前後部の筋力又は頚椎の左右部の筋力を測定するものであるから、一個の検出器７で頚椎の前後部の筋力を又は頚椎の左右部の筋力を測定でき、検出器７の設置個数を節減でき、測定に係る検出器７の設定作業を簡単・容易にでき、又、検出器７を固定するので熟練が無くても正確に測定でき、好都合である。
【０００７】
本発明は、フレーム２に、被測定者の頭程の間隔を空けて検出器７を二個設け、一回のポジショニングで頚椎の前後部の筋力又は頚椎の左右部の筋力を測定できるものであるから、測定に係る検出器７の設定作業を簡単・容易にでき、又、検出器７を固定するので熟練が無くても正確に測定でき、好都合である。
【０００８】
本発明は、二個の検出器７が取付部６に取り付けられ、取付部６はフレーム２に水平面で回動可能に設けられ、該取付部６を９０度回動させれば、頚椎の前後部の筋から左右部の筋へ変更して筋力測定が行なえるものである。この構成によれば、頚椎の前後部の筋の筋力測定と、頚椎の左右部の筋の筋力測定とが、容易に切り換えて測定でき、好都合である。
【０００９】
本発明は、被測定者が腰掛ける椅子３及び身体を椅子３に固定する体幹固定具８が付加設置され、頭部及び頚椎しか動かないように体幹固定具８で上体を椅子３に固定できるものであるから、上体を動かさないで体幹筋の筋力が加算されないようにし、頭だけを動かすことによって頚椎の筋力を正確に測定でき、好都合である。
【００１０】
本発明は、フレーム２に、回動検出器２５が設けられ、該回動検出器２５に被測定者の頭の垂線中心の回動を捕らえる回動アタッチメント２６が垂下取着され、該回動アタッチメント２６を人の頭に装着する一回のポジショニングで、頚椎の旋回に係る筋力を測定できるから、測定に係る回動検出器２５の設定作業を簡単・容易にでき、又、回動検出器２５を固定するので熟練が無くても正確に測定でき、好都合である。
【発明を実施するための最良の形態】
【００１１】
本発明の頚椎筋力測定器１を用いて頚椎の筋力を測定する。
フレーム２に設ける検出器７に、被測定者が頭を接触させる。付属したベルト２４で被測定者の頭を検出器７に固定する。この一回のポジショニングで、検出器７は頭の押圧力及び引き力、即ち頚椎の前後部の筋力、又は頚椎の左右部の筋力を測定する。
【００１２】
フレーム２に検出器７を被測定者の頭程の間隔を空けて二個設ける。検出器７は頭の押圧力即ち頚椎の筋力を検出する。被測定者は左右の検出器７（＝一方検出器７ａ、他方検出器７ｂ）に頭を順次押し当てる。一回のポジショニングで、頚椎の前後部の筋力、又は頚椎の左右部の筋力を測定する。
【００１３】
二個の検出器７は取付部６に取り付けられる。取付部６はフレーム２に水平面で回動できる。該取付部６を９０度回動させれば、頚椎の前後部の筋から左右部の筋へ変更して筋力測定が行なえる。或いは、頚椎の左右部の筋から前後部の筋へ変更して筋力測定が行なえる。
【００１４】
椅子３に、被測定者が腰掛ける。体幹固定具８は、被測定者の上体を椅子３に不自在に固定し、被測定者の頭部及び頚椎しか動かないようにする。このように固定しておいて頚椎の筋力測定を行なう。
【００１５】
フレーム２に設けられる回動検出器２５で頚椎の旋回に係る筋力を測定する。  回動検出器２５に垂下取着された該回動アタッチメント２６を被測定者の頭に装着する。該回動アタッチメント２６は被測定者の頭の垂線中心の回動を捕らえる。この装着による一回のポジショニングで、回動検出器２５は頚椎の旋回に係る筋力を測定する。
【実施例１】
【００１６】
図１乃至３に示す本発明の頚椎筋力測定器１を用いて、被測定者の頚椎の筋力を測定する。頚椎筋力測定器１は、フレーム２と、椅子３と、板４と、アーム５と、取付部６と、検出器７と、体幹固定具８と、測定器２１とからなる。
【００１７】
フレーム２は、基フレーム部９と、支柱部１０と、頭上フレーム部１１とからなる。椅子３は、被測定者が座るもので、脚部１７、座部１８及び背凭れ部１６からなる。板４は、基フレーム部９に取り付けられるもので、フレーム２の底壁を形成する。
【００１８】
支柱部１０にスライド装置１２を設け、該スライド装置１２にアーム５が水平方向に突設される。アーム５にアーム取付具１３が摺動固定可能に設けられる。アーム取付具１３の下部に回動部１３ａが設けられる。取付部６は、回動部１３ａに回動固定可能に取り付けられ水平方向に延びる棒部材でなる。
【００１９】
取付部６に二個の摺動具１４（＝一方摺動具１４ａ、他方摺動具１４ｂ）が摺動固定可能に設けられる。摺動具１４には垂下部１４ｃが垂下取着されており、垂下部１４ｃに検出器７が取り付けられる。検出器７にはアタッチメント１５が水平方向に突設される。二個の検出器７（＝一方検出器７ａ、他方検出器７ｂ）はそれぞれのアタッチメント１５が対向するように取り付けられている。
測定器２１は、検出器７から得た検出値を、解析し表示し記録するものである。
【００２０】
体幹固定具８は、椅子３の背凭れ部１６から被測定者の肩を越えて胸部の前を覆う棒部材でなり該棒部材には緩衝材が被せられて構成され、ショルダーバーと称されるものである。体幹固定具８は、背凭れ部１６の左右に設けられ、被測定者の左右胸部を覆い被測定者を椅子３へ不自在に固定する。
図３中、１９は固定ベルト、２２は回動具、２３は固定具である。
【００２１】
頚椎筋力測定器１の使用に当っては、先ず、被測定者が椅子３に腰掛ける。体幹固定具８を被測定者の胸にあてがい被測定者を椅子３に固定する。固定ベルト１９を被測定者の上体及び大腿に回し該被測定者を椅子３に固定する。被測定者の上体を椅子３に不自在に固定し、頭部及び頚部は自在に動かせる状態にする。
【００２２】
検出器７のアタッチメント１５を頭の前後側面にあてがう。支柱部１０に取り付けられたスライド装置１２を昇降させ、アーム５の高さを調節し、ノブボルト２０を締めて固定する。アーム５に取り付けられたアーム取付具１３を前後に調節し位置を決め、スライド部１３ｂのノブボルト２０を締めて固定する。
【００２３】
アーム取付具１３の下部に取り付けられる回動部１３ａによって取付部６を回動させ、取付部６をアーム５と同方向（＝被測定者の前後方向）に向ける。回動部１３ａのノブボルト２０を締めて取付部６を固定する。
取付部６に取り付けられた摺動具１４を前後に摺動させ位置調節し、摺動具１４のノブボルト２０を締めて摺動具１４を固定する。
【００２４】
摺動具１４の垂下部１４ｃに設けられた検出器７を昇降させ、アタッチメント１５を頭の前・後側部（＝額・後頭部）に接近する位置に移動させ、ノブボルト２０を締めて固定する。
【００２５】
被測定者は、頭の前・後側部又は左・右側部を、二個のアタッチメント１５に順次押し当て、頚椎の等尺性筋力を測定する。その際、先ず、一方検出器７ａのアタッチメント１５に額を押し当て頚椎の筋力を測定する。
【００２６】
次に、他方検出器７ｂのアタッチメント１５に後頭部を押し当て頚椎の筋力を測定する。次に、回動部１３ａのノブボルト２０を緩め、取付部６を９０度回動させ、取付部６をアーム５と直角方向（＝被訓練者の左右方向）に向ける。回動部１３ａのノブボルト２０を締めて取付部６を固定する。
【００２７】
二個の検出器７の位置を調節し、両アタッチメント１５を頭の両側部に接近させ固定する。被測定者は頭を左方に傾けて頭の左側部を一方アタッチメント１５ａを押し当て頚椎筋力を測定し、次に、頭を右方に傾けて頭の右側部を他方アタッチメント１５ｂに押し当て、頚椎筋力を測定する。
【００２８】
検出器７から得られた値を測定器２１で波形図に表わし、反応時間、立ち上がり時間、力のピーク値、疲労等を読み取り、頚椎筋力の改善、頚椎の治療及び機能回復訓練等の資料とする。
【実施例２】
【００２９】
図４に示す実施例２は、実施例１に係る検出器７及びアタッチメント１５を各一個とし、アタッチメント１５に頭を固定する為に用いるベルト２４を付属したものである。実施例２は、検出器７へ頭を押し付け、頚椎の筋力を検出する。又、頭が検出器７から離れる方向の力は、ベルト２４によって検出器７を引いて、頚椎の筋力を検出する。
【実施例３】
【００３０】
図５に示す実施例３は、実施例１に係る検出器７を、回動検出器２５に代えたものである。実施例３は、アーム取付具１３に回動検出器２５（＝具体例ではトルクセンサー）が設けられ、該回動検出器２５に被測定者の頭の垂線中心の回動を捕らえる回動アタッチメント２６が垂下取着される。
【００３１】
回動アタッチメント２６は、硬質な枠体上部２７ａと、硬質な枠体下部２７ｂと、締めベルト２８とからなる。枠体上部２７ａは回動検出器２５に取着され、枠体下部２７ｂは頭側部に当接され締めベルト２８で締められ取着される。回動アタッチメント２６を被測定者の頭に装着する一回のポジショニングで、頚椎の旋回に係る筋力を測定できる。
【産業上の利用可能性】
【００３２】
頚椎の筋力の測定が容易に行なえ、頚椎の筋力の測定に適用される。
【図面の簡単な説明】
【００３３】
【図１】本発明の実施例１の左側面図である。
【図２】本発明の実施例１のアーム及び取付部を示す部分図である。
【図３】本発明の実施例１の椅子の左側面図である。
【図４】本発明の実施例２のアーム及び取付部を示す部分図である。
【図５】本発明の実施例３の回動検出器を示す部分図である。
【符号の説明】
【００３４】
１  頚椎筋力測定器
２  フレーム
３  椅子
６  取付部
７  検出器
８  体幹固定具
２４  ベルト
２５  回動検出器
２６  回動アタッチメント
【図１】
2005211420.tif 000003
【図２】
2005211420.tif 000004
【図３】
2005211420.tif 000005
【図４】
2005211420.tif 000006
【図５】
2005211420.tif 000007